(57)【要約】【課題】一定量の香りを、長期間にわたって持続させることのできる香り付き鉛筆を提供する。【解決手段】香り付き鉛筆１において、鉛筆芯１０と、鉛筆芯１０を囲繞する鉛筆軸２０と、鉛筆軸２０の外周面の最外層として、香料成分入りマイクロカプセルを含むインク層３６とを備える。【選択図】図１
2019043065.tif 000002
【特許請求の範囲】
【請求項１】
鉛筆芯と、
前記鉛筆芯を囲繞する鉛筆軸と、
前記鉛筆軸の外周面の最外層として、香料成分入りマイクロカプセルを含むインク層と、を備える、
ことを特徴とする香り付き鉛筆。
【請求項２】
前記インク層は、インクをべた塗りした層である、
ことを特徴とする請求項１に記載の香り付き鉛筆。
【請求項３】
前記マイクロカプセルは、香り付き鉛筆を削る際の刃によって破壊される、
ことを特徴とする請求項１又は２に記載の香り付き鉛筆。
【請求項４】
前記マイクロカプセルは、手との摩擦によって破壊される、
ことを特徴とする請求項１ないし３のいずれかに記載の香り付き鉛筆。
【発明の詳細な説明】
【技術分野】
【０００１】
本発明は、一定量の香りを、長期間にわたって持続させることのできる香り付き鉛筆に関する。
【背景技術】
【０００２】
従来から香り付き鉛筆が知られている。
【０００３】
このものは、鉛筆芯を覆う鉛筆軸となる木材に、あらかじめ、香りを浸み込ませておく。そして、香りの浸み込んだ鉛筆軸の外周面に、目止めをし、複数回、塗料を重ね合わせ、艶出しのラッカーを塗る。その後、両端を切り落として、製品名やマークを入れる。
つまり、匂いの元となる香りは、鉛筆軸に浸み込ませておき、その後、鉛筆軸の外周面に印刷等を行うのである。
また、特許文献１には、香り付きのカードが開示されている。
【０００４】
このものは、カードの一部に、マイクロカプセル混入インクによって構成された芳香成分保有層を有している。マイクロカプセル混入インクは、平均粒径２〜１０μｍの微細なマイクロカプセルに芳香成分を封入し、無色透明なインキワニスに分散させたものである。
この香り付きカードは、芳香成分保有層を、指先で強く擦るか、爪やコインで擦るかすると、マイクロカプセルが破壊され、香りを発散させることができる。
【先行技術文献】
【特許文献】
【０００５】
【特許文献１】特開平６−２４７０７４号公報
【発明の概要】
【発明が解決しようとする課題】
【０００６】
しかしながら、従来の香り付き鉛筆によると、香りは鉛筆軸に浸み込ませ、鉛筆軸の外周面を印刷等によって覆うため、香りがするのは、鉛筆軸が露出された部分、つまり削った部分あるいは切り落とした端面に限られる。このため、香り量が限定されるという問題があった。
【０００７】
さらに、香りは、鉛筆軸に浸み込ませているため、少しずつ揮発してしまい、一定量の香りを長期間にわたって持続させることが困難である、という問題があった。
【０００８】
一方、特許文献１に係る香り付きのカードによると、香りがするのは、使用者が指先で強く擦ったり、爪やコインで擦ったりする場合に限定される。このため、香りを出すためには、使用者の意図的な動作が必要であるという問題があった。
【０００９】
さらに、使用者の意図的な動作、すなわち、芳香成分保有層を指先で強く擦るか、爪やコインで擦るかすることによるマイクロカプセルの破壊によって、香りを発散させるため、香りが強すぎたり、反対に弱すぎたりしたりして、一定量の香りを、経時的に持続するのが困難である、という問題があった。
【００１０】
本発明は、上述した事情に鑑みてなされたものであり、一定量の香りを、長期間にわたって持続させることのできる香り付き鉛筆を提供することを目的にするものである。
【課題を解決するための手段】
【００１１】
請求項１に係る発明は、香り付き鉛筆において、鉛筆芯と、前記鉛筆芯を囲繞する鉛筆軸と、前記鉛筆軸の外周面の最外層として、香料成分入りマイクロカプセルを含むインク層と、を備える、ことを特徴とする。
請求項２に係る発明は、請求項１に係る香り付き鉛筆において、前記インク層は、インクをべた塗りした層である、ことを特徴とする。
【００１２】
請求項３に係る発明は、請求項１又は２に係る香り付き鉛筆において、前記マイクロカプセルは、香り付き鉛筆を削る際の刃によって破壊される、ことを特徴とする。
【００１３】
請求項４に係る発明は、請求項１ないし３のいずれかに係る香り付き鉛筆において、前記マイクロカプセルは、手との摩擦によって破壊される、ことを特徴とする。
【発明の効果】
【００１４】
請求項１の発明によれば、香り付き鉛筆は、鉛筆軸の外周面の最外層として、香料成分入りマイクロカプセルを含むインク層を備える。したがって、香り付き鉛筆を削ると、削った部分のマイクロカプセルを破壊して、芳香成分が香りを放つ。また、インク層は、最外層に位置するため、その香り付き鉛筆を使って筆記する際に、マイクロカプセルを手で擦ることになり、この部分においても、マイクロカプセルを破壊して、芳香成分が香りを放つ。香り付き鉛筆を使うに連れて、削る部分が徐々に後端側に移動し、また、手で握る部分も徐々に後端側に移動する。このように、マイクロカプセルが破壊して香りを放つ部分が徐々に後端側にずれていくため、常に強い香りを放つことができる。
【００１５】
請求項２の発明によれば、インク層は、香料成分入りマイクロカプセルを含むインクをべた塗りした層であるので、例えば、ドット状、スポット状、螺旋状等に塗った層と比較して、べた塗りした層のインクの単位面積当たりのマイクロカプセルの量を多くすることができる。このため、強い香りを発生させることができる。
【００１６】
請求項３の発明によれば、マイクロカプセルは、香り付き鉛筆を削る際の刃によって破壊されるので、香り付き鉛筆を削るごとに、つまり香り付き鉛筆が徐々に短くなるのに伴って、新たな香りを持続することができる。
【００１７】
請求項４の発明によれば、マイクロカプセルは、手との摩擦によって破壊されるので、香り付き鉛筆を削るごとに、つまり香り付き鉛筆が徐々に短くなるのに伴って、手に触れる場所が変化し、新たな香りを持続することができる。
【図面の簡単な説明】
【００１８】
【図１】香り付き鉛筆１を、後端側から前端側に向けて見た模式図である。
【図２】（Ａ），（Ｂ），（Ｃ）は、香り付き鉛筆１のインク層３６では採用しなかったパターンを示す図である。
【図３】香り付き鉛筆１の製造方法を説明する図である。
【発明を実施するための形態】
【００１９】
以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
図１〜図３を参照して本発明を適用した実施形態１に係る香り付き鉛筆１について説明する。
【００２０】
ここで、図１は、香り付き鉛筆１を、後端側から前端側に向けて見た模式図である。また、図２（Ａ），（Ｂ），（Ｃ）は、香り付き鉛筆１のインク層３６では採用しなかったパターンを示す図である。また、図３は、香り付き鉛筆１の製造方法を説明する図である。
【００２１】
香り付き鉛筆１は、図１に一例を示すように、鉛筆芯１０、鉛筆軸２０、及び層構成３０を備えている。層構成３０は、目止め層３１、複数の塗装層３２，３３，３４（本実施形態では３層）、ラッカー層３５、そしてインク層３６を有している。
【００２２】
鉛筆芯１０は、鉛筆軸２０の中心に配置されている。つまり、鉛筆軸２０は、鉛筆芯１０を囲繞している。本実施形態では、鉛筆軸２０は、円柱形であるが、これは、正六角柱でもよい。
【００２３】
鉛筆軸２０の外周面には、目止め層３１が施されている。目止め層３１は、塗装前の木地に砥の粉や胡粉などを刷り込んで目をふさぎ、表面を滑らかにするものである。
【００２４】
つづいて、目止め層３１の上に、塗装層３２，３３，３４が設けられる。その香り付き鉛筆１にあった塗装が複数回（本実施形態では３回）行われる。各塗装層３２，３３，３４は、鉛筆軸２０の外周面の全周にわたって形成される。なお、この塗装層３２は、通常の紙にする印刷と同様、例えば、絵柄やキャラクターを印刷することができる。
【００２５】
塗装の後に、ラッカー層３５が設けられる。ラッカー層３５は、製品に艶を出すためのものである。このラッカー層３５も鉛筆軸２０の外周面の全周にわたって設けられる。
【００２６】
最後に、ラッカー層３５の上にインク層３６が設けられる。インク層３６中には、芳香成分入りマイクロカプセルが含まれている。インク層３６全体は、無色透明である。つまり、芳香成分入りマイクロカプセルも、インク層３６自体も無色透明である。なお、インク層３６は、有色であってもよい。
【００２７】
本実施形態においては、インク層３６は、インクをべた塗りした層である。鉛筆軸２０の外周面の最外層として、香料成分入りマイクロカプセルを含むインク層３６を有している。
インク層３６として、例えば、図２（Ａ）のドット状、（Ｂ）のスポット状、（Ｃ）の螺旋状のものについても実験した。
しかし、これらは、単位面積当たりのマイクロカプセル量が少なくなるため、香りが弱いものとなった。
そこで、本実施形態では、インクをべた塗りしたインク層３６を設けるようにした。
【００２８】
インク層３６は、鉛筆軸２０の外周面の全体に塗られている。インク層３６は、例えば、ドライオフセット印刷、樹脂凸版印刷、オフセット印刷等によって形成することができる。また、インク層３６は、香料入りの紫外線硬化型のものであり、速乾性に優れている。インク層３６の香りの種類としては、例えば、スズラン、ラベンダー、ミント、レモン、アップル、ピーチ等があげられる。
なお、ラッカー層３５を省略することも可能であり、この場合には、インク層３６は、塗装層３２，３３，３４の最後の色として取り扱うことができる。
また、インク層３６の盛り量については、一般のインクやニスよりも多めにした方が、香りが強くなるのでより効果的となる。
次に、図３を参照して、香り付き鉛筆１の製造方法の一例について説明する。
【００２９】
香り付き鉛筆１の製造方法は、目止め工程Ｓ１、塗料工程Ｓ２、ラッカー塗布工程Ｓ３、及びインク塗布工程Ｓ４を有している。なお、各工程の内容は、上述のとおりである。
以上の香り付き鉛筆１は、次のような作用、効果を奏することができる。
【００３０】
・香り付き鉛筆１は、鉛筆軸２０の外周面の最外層として、香料成分入りマイクロカプセルを含むインク層３６を備える。したがって、香り付き鉛筆１を削ると、削った部分のマイクロカプセルを破壊して、芳香成分が香りを放つ。また、インク層３６は、最外層に位置するため、その香り付き鉛筆１を使って筆記する際に、マイクロカプセルを手で擦ることになり、この部分においても、マイクロカプセルを破壊して、芳香成分が香りを放つ。香り付き鉛筆１を使うに連れて、削る部分が徐々に後端側に移動し、また、手で握る部分も徐々に後端側に移動する。このように、マイクロカプセルが破壊して香りを放つ部分が徐々に後端側にずれていくため、常に強い香りを放つことができる。
なお、本実施形態においては、香料入りマイクロカプセルを含むインク層３６を、鉛筆軸２０の外層面の最外層として有していればよい。
したがって、インク層３６の内側（下側）の層として、例えば、目止め層３１、塗装層３２，３３，３４、ラッカー層３５等のいずれを有していてもよい。
また、鉛筆軸２０の外周面に直接、最外層としてのインク層３６を有するものでもよい。
【００３１】
・インク層３６は、香料成分入りマイクロカプセルを含むインクをべた塗りした層であるので、例えば、ドット状（図２（Ａ））、スポット状（図２（Ｂ））、螺旋状（図２（Ｃ））等に塗った層と比較して、べた塗りした層のインクの単位面積当たりのマイクロカプセルの量を多くすることができる。このため、強い香りを発生させることができる。
【００３２】
これは、香料成分入りマイクロカプセルを含むインク層３６を、鉛筆軸２０の外周面の最外層にべた塗りしたときの一般的な効果であるが、このインク層３６のみを鉛筆軸２０の外周面に直接、べた塗りした場合には、以下のような効果を奏することができる。
【００３３】
すなわち、私たちが嗅いでいる鉛筆軸の香りは、お釜の中で加圧して色を染める工程（防虫剤を含んだ赤茶色の染料を使用する）を経たインセンスシダー（杉の一種で、鉛筆軸の原料となる。）の香りである。このインセンスシダーの香りは、他の香料で相殺することが困難なため、従来、鉛筆軸に香りを浸み込ませて香り付き鉛筆をつくったとしても、その香りは、インセンスシダーと香料とが混ざった香りとなってしまう。
【００３４】
しかし、本発明のように、鉛筆軸２０の外周面に直接、ベた塗りして、インク層３６を形成した場合には、そのべた塗りしたインク層３６により、インセンスシダーの香りを封じ込めて、インク層３６中のマイクロカプセルから香料を発生させることができる。
【００３５】
つまり、インク層３６が、鉛筆軸２０を覆ってインセンスシダーの香りをブロックすることができるとともに、香料成分の香りを独自にコントロールすることができるようになる。
【００３６】
なお、鉛筆軸２０の外周面の最外層としてインク層３６を設けた後に、ロゴやマークを入れることもあるが、これらは、鉛筆軸２０の外周面のうちの比較的小さな面積であるため、「外周面の最外層」には、含めないものとする。
【００３７】
・マイクロカプセルは、香り付き鉛筆１を削る際の刃によって破壊されるので、香り付き鉛筆１を削るごとに、つまり香り付き鉛筆１が徐々に短くなるのに伴って、新たな香りを持続することができる。
【００３８】
・マイクロカプセルは、手との摩擦によって破壊されるので、香り付き鉛筆１を削るごとに、つまり香り付き鉛筆１が徐々に短くなるのに伴って、手に触れる場所が変化し、新たな香りを持続することができる。
【符号の説明】
【００３９】
１      香り付き鉛筆
１０    鉛筆芯
２０    鉛筆軸
３０    層構成
３６    （香料成分入りマイクロカプセルを含む）インク層３６
【図１】
2019043065.tif 000003
【図２】
2019043065.tif 000004
【図３】
2019043065.tif 000005